【手続補正書】
【提出日】平成16年6月24日(2004.6.24)
【手続補正１】
【補正対象書類名】明細書
【補正対象項目名】請求項１
【補正方法】変更
【補正の内容】
【請求項１】
建築物の床下空間と建築物の外部とを連通し、かつ建築物の基礎および土台によって区画することにより形成された開口部に嵌装され、基礎および土台に固定されるとともに建築物の内外を連通する通気口が形成されている固定枠体と、
前記固定枠体によって形成された通気口を開閉するように前記固定枠体に回動自在に取り付けられた断熱構造のドア体と、
前記ドア体が前記通気口を閉塞した状態で、前記ドア体を前記固定枠体に対して締め付けながら固定するための締付部材と、
前記ドア体を屋外側から操作するために前記固定枠体に回動自在に支持されているグリルとを有し、
前記ドア体は断熱材とこれを保持する可動部材とからなり、この可動部材が分解可能に取り付けられているとともに、
前記グリルが前記固定枠体に対して、一対の軸を支点として回動自在にかつ着脱自在に取り付けられていることを特徴とする建築物の床下換気口。
【手続補正２】
【補正対象書類名】明細書
【補正対象項目名】請求項４
【補正方法】変更
【補正の内容】
【請求項４】
建築物に区画形成された開口部に嵌装され建築物の内外を連通する通気口を形成する固定枠体と、
前記固定枠体によって形成された通気口を開閉するように、前記固定枠体に回動自在に取り付けられた断熱構造のドア体と、
前記ドア体が前記通気口を閉塞した状態で、前記ドア体を前記固定枠体に対して締め付けながら固定するための締付部材と、
前記ドア体を屋外側から操作するために前記固定枠体に回動自在に支持されているグリルとを具備し、
前記固定枠体が、外側筒部とこれと別体に形成された内側筒部とから構成されるとともに、これら外側筒部と内側筒部とはネジ部材により着脱自在に取り付けられていることを特徴とする建築物の床下換気口。
【手続補正３】
【補正対象書類名】明細書
【補正対象項目名】請求項７
【補正方法】変更
【補正の内容】
【請求項７】
前記内側筒部には、ネジ部材を案内するための溝（案内溝）が形成されていることを特徴とする請求項４に記載の建築物の床下換気口。
【手続補正４】
【補正対象書類名】明細書
【補正対象項目名】請求項１０
【補正方法】変更
【補正の内容】
【請求項１０】
前記ドア体は断熱材とこれを保持する可動部材とからなり、この可動部材が分解可能に取り付けられていることを特徴とする請求項４に記載の建築物の床下換気口。
【手続補正５】
【補正対象書類名】明細書
【補正対象項目名】００１０
【補正方法】変更
【補正の内容】
【００１０】
これにより、レバー１２を操作してドア体１０を床下空間１７側に押し倒せば、床下空間を屋外と連通でき、換気を図ることができる。また、これと略同様に形成された図１５に示した床下換気口２４では、固定枠体８が外側フランジ８ｂを備えた外筒部２５と、内側フランジ８ａを備えた内筒部２６とから構成されている。そして、グリル１１は内筒部２６に着脱自在に取り付けられている。
【手続補正６】
【補正対象書類名】明細書
【補正対象項目名】００１６
【補正方法】変更
【補正の内容】
【００１６】
【課題を解決するための手段】
上記目的を達成するための本発明では、建築物の床下空間と建築物の外部とを連通し、かつ建築物の基礎および土台によって区画することにより形成された開口部に嵌装され、基礎および土台に固定されるとともに建築物の内外を連通する通気口が形成されている固定枠体と、
前記固定枠体によって形成された通気口を開閉するように前記固定枠体に回動自在に取り付けられた断熱構造のドア体と、
前記ドア体が前記通気口を閉塞した状態で、前記ドア体を前記固定枠体に対して締め付けながら固定するための締付部材と、
前記ドア体を屋外側から操作するために前記固定枠体に回動自在に支持されているグリルとを有し、
前記ドア体は断熱材とこれを保持する可動部材とからなり、この可動部材が分解可能に取り付けられているとともに、
前記グリルが前記固定枠体に対して、一対の軸を支点として回動自在にかつ着脱自在に
取り付けていることを特徴としている。
【手続補正７】
【補正対象書類名】明細書
【補正対象項目名】００１８
【補正方法】変更
【補正の内容】
【００１８】
また、前記グリルの前記固定枠体に対する一対の軸は、グリル本体の一側に突出して形成されたダボと、グリル本体の他側に突出して挿入され、内ネジ付き板ナットで着脱自在に固定されるネジ部材とから構成されることが好ましく、これによりグリルを簡単に取り外すことができる。
【手続補正８】
【補正対象書類名】明細書
【補正対象項目名】００２０
【補正方法】変更
【補正の内容】
【００２０】
また、前記固定枠体が、外側筒部とこれと別体に形成された内側筒部とから構成されるとともに、これら外側筒部と内側筒部とはネジ部材により着脱自在に取り付けられていれば、外側筒部をコンクリートの打設に同時に取り付けた後に、他の部材を後に取り付けることができる。
【手続補正９】
【補正対象書類名】明細書
【補正対象項目名】００２２
【補正方法】変更
【補正の内容】
【００２２】
さらに、前記内側筒部には、ネジ部材を案内するための溝（案内溝）が形成されていることが好ましく、これにより、内側筒部を容易に外側筒部に案内することできる。また、前記グリルが前記固定枠体に対して、一対の軸を支点として回動自在にかつ着脱自在に取り付けられていれば、壊れた場合にその部分のみを交換することができる。
【手続補正１０】
【補正対象書類名】明細書
【補正対象項目名】００２４
【補正方法】変更
【補正の内容】
【００２４】
また、前記ドア体が断熱材とこれを保持する可動部材とからなり、この可動部材が分解可能に取り付けられていれば、ドア体を容易に取り外すことができる。
いる。
【手続補正１１】
【補正対象書類名】明細書
【補正対象項目名】００２９
【補正方法】変更
【補正の内容】
【００２９】
また、この断熱材３３の内側には、屋根裏空間３８および床下空間３９と連通して各部屋４０を包括的に囲む内側通気層４１が形成されることが好ましい。図１に戻って床下換気口３０について説明すると、前記固定枠体３２の屋外２９側には衝撃物等の防止あるいはデザインとしてのグリル４２が後述するように、固定枠体３２に回動自在でかつ着脱自在に取り付けられている。グリル４２は、図３に示したように、略矩形の枠体本体４２ａの内部に斜方状の格子４２ｂが形成されており、その内側面に５ｍｍ角以下の網目を有する防虫網４３が張られている。
【手続補正１２】
【補正対象書類名】明細書
【補正対象項目名】００３４
【補正方法】変更
【補正の内容】
【００３４】
他方、固定枠体３２に形成された通気口３１が開閉するように、固定枠体３２の床下空間３９側には、図５に示すように断熱構造のドア体５３が開閉自在に取り付けられている。このドア体５３は、板状の断熱材５４と、この断熱材５４を保持する可動部材５５とから成る。断熱材５４は、断熱材３３と同一材質でも異なる材質でも良く、例えば、ポリスチレン、ポリエチレン、ポリ塩化ビニル等の合成樹脂を発泡させて得られた発泡板が好ましい。なかでも、高度の剛性と断熱性および透湿抵抗の高いポリスチレン板を用いるのが効果的である。
【手続補正１３】
【補正対象書類名】明細書
【補正対象項目名】００３６
【補正方法】変更
【補正の内容】
【００３６】
本実施例では、グリル４２を倒した状態でレバー６３ａを操作することにより、ドア体５３を床下空間３９側に押し倒すことができる。このような実施例によれば、ドア体５３の開閉が容易であり、またグリル４２の開閉も容易である。
【手続補正１４】
【補正対象書類名】明細書
【補正対象項目名】００３９
【補正方法】変更
【補正の内容】
【００３９】
図８ないし図１０は、上記固定枠体３２を２部材から形成した本発明の他の実施例による床下換気口を示したものである。この実施例では、固定枠体３２が２部材から別体で形成されている。
【手続補正１５】
【補正対象書類名】明細書
【補正対象項目名】００４２
【補正方法】変更
【補正の内容】
【００４２】
一方、外側筒部７２が固定されたら、屋外２９側から内側筒部７３を挿入し、ステンレ
スなどからなるネジ７８により、外側筒部７２と内側筒部７３とを結合する。このとき、内側筒部７３の開口側先端をリブ７４に当接させれば、容易に位置決めすることができる。また、内側筒部７３の平行度は、案内溝７６が形成されているので、ネジ７８の位置を調整すれば、屋外２９側への突出寸法を適宜調整することができる。また、グリル４２の外側に網目が２ｍｍ以下の金網を備えた金属製の枠体８０を着脱自在に装着すれば、この床下換気口７０を防火構造にすることができ、外部に火が回ってきてもその火を遮断することができる。
【手続補正１６】
【補正対象書類名】明細書
【補正対象項目名】００４３
【補正方法】変更
【補正の内容】
【００４３】
なお、ドア体５３が内側筒部７３に着脱自在に取り付けられていることや、グリル４２が内側筒部７３に着脱自在に取り付けられていることなどは上記実施例と同様であり、その詳細な説明を省略する。
【手続補正１７】
【補正対象書類名】明細書
【補正対象項目名】００４４
【補正方法】変更
【補正の内容】
【００４４】
なお、図８において、符合７８'は、気密シールを示したものである。この実施例によ
れば、先ず外側筒部７２をコンクリートの打設時に固定しておき、その後に内側筒部７３を取り付けているので、取付作業性が良好である。また、ドア体５３あるいはグリル４２が壊れた場合などに、これらを部分的に取り替えることができる。また、場合によっては内側筒部７３ごと取り外すこともできる。
【手続補正１８】
【補正対象書類名】明細書
【補正対象項目名】符号の説明
【補正方法】変更
【補正の内容】
【符号の説明】
６ 基礎
７ 土台
２８ 開口部
２９ 屋外
３１ 通気口
３２ 固定枠体
３９ 床下空間
４２ グリル
４６ 軸
４８ 内ネジ付き板ナット
５０ ネジ部材
５３ ドア体
５４ 断熱材
５５ 可動部材
６０ ネジ部材
６３ 締付部材
７１ 固定枠体
７２ 外側筒部
７３ 内側筒部
７４ 補強用リブ
７６ 案内溝
８０ 枠体
【手続補正１９】
【補正対象書類名】図面
【補正対象項目名】図４
【補正方法】変更
【補正の内容】
【図４】
1999022041.tif 000001
【手続補正２０】
【補正対象書類名】図面
【補正対象項目名】図８
【補正方法】変更
【補正の内容】
【図８】
1999022041.tif 000002